(57)【要約】【課題】発電設備のタービン蒸気を再利用する復水器を冷却するための復水器冷却装置において、液面レベル差の変動によらずに冷却水を安定に供給することが可能な復水器冷却水流量調整装置を提供する。【解決手段】この復水器冷却水流量制御装置は、蒸気タービンの復水器９を備えた復水器冷却装置１０の冷却水を取水する取水口１に連なる取水槽４に設置される取水槽液面レベル計２２と、復水器を冷却後の冷却水を放水する放水槽に設置される放水槽液面レベル計２３と、前記貯水槽から揚水する冷却水供給ポンプ５の出口に設置されるポンプ出口弁７の開度を制御する制御装置２４とを備え、この取水槽液面レベル計２２および放水槽液面レベル計２３にて取水槽４と放水口１８における液面レベルをそれぞれ測定し、この液面レベルを制御装置２４に入力して液面レベル差を算出し、ポンプ出口弁７の開度を制御することにより復水器冷却水の流量を調整する。【選択図】  図１
2004218953.tif 000002
【特許請求の範囲】
【請求項１】
蒸気タービンの復水器を冷却するための冷却水を貯水する取水槽と、この取水槽から冷却水を前記復水器に導く冷却水供給ポンプと、この冷却水供給ポンプの出口側に設けられた冷却水供給ポンプ出口弁と、前記復水器出口側に設けられた復水器出口弁と、この復水器を冷却した後の冷却水が排水される放水槽とからなる復水器冷却装置における復水器冷却水流量調整装置において、
前記取水槽に設けられて貯水量を計測する取水槽液面レベル計と、前記放水槽に設けられて貯水量を計測する放水槽液面レベル計とを備え、前記取水槽液面レベル計と前記放水槽液面レベル計にてそれぞれ計測された計測値から取水槽と放水槽との液面レベル差を求め、予め前記冷却水供給ポンプの性能と前記復水器に必要な冷却水量とから求められた前記液面レベルの差と前記冷却水供給ポンプ出口弁開度との関係に基づいて前記冷却水出口ポンプの開度を制御する制御装置を備えたことを特徴とする復水器冷却水流量調整装置。
【請求項２】
複数の蒸気タービンのそれぞれの復水器を冷却するための冷却水を貯水する共通の取水槽と、この取水槽から冷却水を前記復水器に導く複数の冷却水供給ポンプと、これら冷却水供給ポンプの出口側に設けられた冷却水供給ポンプ出口弁と、前記復水器出口側に設けられた復水器出口弁と、これら復水器を冷却した後の冷却水が排水される共通の放水槽とからなる復水器冷却装置における復水器冷却水流量調整装置において、
前記取水槽に設けられて貯水量を計測する取水槽液面レベル計と、前記放水槽に設けられて貯水量を計測する放水槽液面レベル計とを備え、前記取水槽液面レベル計と前記放水槽液面レベル計にてそれぞれ計測された計測値から取水槽と放水槽との液面レベル差を求め、予め前記冷却水供給ポンプの性能と前記復水器に必要な冷却水量とから求められた前記液面レベルの差と前記冷却水供給ポンプ出口弁開度との関係に基づいて前記冷却水出口ポンプの開度を制御する制御装置を備えたことを特徴とする復水器冷却水流量調整装置。
【請求項３】
請求項１または請求項２記載の復水器冷却水流量調整装置において、前記制御装置は前記復水器内における経年的に増加する配管流量損失に基づいて前記冷却水供給ポンプ出口弁開度を調整する手段を備えたことを特徴とする復水器冷却水流量調整装置。
【請求項４】
蒸気タービンの復水器を冷却するための冷却水を貯水する取水槽と、この取水槽から冷却水を前記復水器に導く冷却水供給ポンプと、この冷却水供給ポンプの出口側に設けられた冷却水供給ポンプ出口弁と、前記復水器出口側に設けられた復水器出口弁と、この復水器を冷却した後の冷却水が排水される放水槽とからなる復水器冷却装置における復水器冷却水流量調整方法において、
この復水器冷却水流量調整方法は、取水槽液面レベル計により取水槽の液面レベルを計測する工程と、放水槽液面レベル計により放水槽の液面レベルを計測する工程と、取水槽と放水槽との液面レベル差を求める工程と、予め前記冷却水供給ポンプの性能と前記復水器に必要な冷却水量とから求められた液面レベル差と前記冷却水供給ポンプ出口弁開度との関係から冷却水供給ポンプ出口弁の開度を算出する工程と、前記液面レベル差を求める工程と前記液面レベル差と前記冷却水供給ポンプ出口弁開度との関係を算出する工程とで得られた情報に基づいて前記冷却水供給ポンプ出口弁の開度を制御する制御工程とからなることを特徴とする復水器冷却水流量調整方法。
【請求項５】
複数の蒸気タービンのそれぞれの復水器を冷却するための冷却水を貯水する取水槽と、この取水槽から冷却水を前記各復水器に導く複数の冷却水供給ポンプと、これら冷却水供給ポンプの出口側に設けられた冷却水供給ポンプ出口弁と、前記復水器出口側に設けられた復水器出口弁と、これら復水器を冷却した後の冷却水が排水される放水槽とからなる復水器冷却装置における復水器冷却水流量調整方法において、
この復水器冷却水流量調整方法は、取水槽液面レベル計により取水槽の液面レベルを計測する工程と、放水槽液面レベル計により放水槽の液面レベルを計測する工程と、取水槽と放水槽との液面レベル差を求める工程と、予め前記冷却水供給ポンプの性能と前記復水器に必要な冷却水量とから求められた液面レベル差と前記冷却水供給ポンプ出口弁開度との関係から冷却水供給ポンプ出口弁の開度を算出する工程と、前記液面レベル差を求める工程と前記液面レベル差と前記冷却水供給ポンプ出口弁開度との関係を算出する工程とで得られた情報に基づいて前記冷却水供給ポンプ出口弁の開度を制御する制御工程とからなることを特徴とする復水器冷却水流量調整方法。
【請求項６】
請求項４または請求項５記載の復水器冷却水流量調整方法において、前記制御工程は前記復水器内における経年的に増加する配管流量損失に基づいて前記冷却水供給ポンプ出口弁開度を調整する工程を備えたことを特徴とする復水器冷却水流量調整方法。
【発明の詳細な説明】
【０００１】
【発明の属する技術分野】
本発明は、発電設備の蒸気タービンの復水器を冷却するために設置される復水器冷却装置に流通する冷却水の流量を調整する復水器冷却水流量調整装置に関する。
【０００２】
【従来の技術】
蒸気タービンを用いた発電設備において、蒸気タービンから排気される蒸気は復水器にて凝縮され、ボイラー給水として再利用される。このタービン蒸気は、タービンに付設される復水器により熱交換されてボイラー給水となるが、この復水器の冷却媒体としては、海水が用いられることが多く、復水器に海水（冷却水）を流通するための復水器冷却装置が付設される。
【０００３】
図５に、冷却水に海水を用いた場合の、従来の復水器冷却装置５０の構成を示す。
【０００４】
海水は、外洋に面した取水口５１より取水路５２およびスクリーン５３を経由して取水槽５４に導入される。取水槽５４に導入された海水は、取水槽５４に設置された冷却水供給ポンプ５５により、冷却水配管５６を流通してポンプ出口弁５７および逆洗弁５８を介して復水器５９に供給され、蒸気タービンＴからの蒸気と熱交換を行う。熱交換に使用された冷却水（海水）は再び逆洗弁５８を通り、復水器出口弁６０を通過し、放水槽６１より外洋へ放出される。
【０００５】
従来の復水器冷却装置５０において、復水器５９に流通する冷却水の流量は、復水器出口弁６０の開度により調整されていた。この復水器出口弁６０の開度は以下のように決定される。すなわち、ポンプ吐出圧力を圧力計６２で確認しながら復水器出口弁６０を操作し、ポンプの流量−揚程特性曲線（ポンプＱ−Ｈカーブ）に基づいて復水器冷却水の定格流量となる復水器出口弁６０の開度を決定する。但し、配管への海洋性生物の付着や配管腐食等のような経年劣化による配管圧力損失の増加を予め見込んで、冷却水流量が定格流量より多めとなるように、復水器出口弁６０の開度が調整される。
【０００６】
特に、図６に示すコンバインドサイクル発電設備７０のように、複数の冷却水供給ポンプ５５が取水槽５４に設置されている場合、複数の冷却水供給ポンプ５５の運転による冷却水使用量の増加に伴う取水槽５４の取水面レベルの低下が生じやすい。このような場合、放水槽６１の水面レベルとのレベル差が増大する。すなわち、冷却水供給ポンプが必要とする静水頭の増加により、冷却水供給ポンプ５５の流量が低下する。従って、配管圧力損失の経年変化分およびこの静水頭の増加による流量の低下を見込んで、予め復水器出口弁６０の開度を大きめの冷却水流量となるように調整する必要があった。
【０００７】
従来の複数の冷却水供給ポンプを有する場合の放水槽の水面レベルの制御に関しては、各冷却水供給ポンプ下流側に流量計を設け、それぞれの冷却水供給ポンプから復水器に供給される冷却水量や圧力を測定し、その流量、圧力に応じて放水槽と外洋との間に設けた水槽の開閉制御を行うことにより放水槽の水面の制御を行う技術がある（例えば、特許文献１参照）。
【０００８】
【特許文献１】
特開平６−８２１７８号公報
【０００９】
【発明が解決しようとする課題】
図７を参照してポンプ流量と取水槽と放水槽の液面レベル差との関係について説明する。
【００１０】
図７において、８１はポンプの流量−揚程特性曲線（ポンプＱ−Ｈカーブ）を示す。また８２は、液面レベル差がある値ΔＨ１の場合のポンプ流量−圧力特性曲線を示す。このポンプＱ−Ｈカーブ８１とポンプ流量−圧力特性曲線８２との交点により液面レベル差ΔＨ１のときの冷却水の流量Ｑ１が求められる。同様にして液面レベル差がΔＨ２の場合のポンプ流量−圧力特性曲線８３とポンプＱ−Ｈカーブ８１との交点により液面レベル差ΔＨ２のときの冷却水の流量Ｑ２が求められる。
【００１１】
この図７においてΔＨ２＞ΔＨ１である。すなわち取水槽４と放水槽６１の液面レベル差ΔＨが大きいほどポンプが吐出する冷却水流量が小さくなる。
【００１２】
一般的に、復水器冷却装置のポンプ全揚程のうち、この液面レベル差に基づく静水頭の占める割合はおよそ１５％〜２０％である。従って、図７のポンプＱ−Ｈカーブ８１に明らかなように、取水槽水面レベルの変動によって冷却水流量が大きく変動する。そのため、取水槽の液面レベルの変動によらず、安定的に冷却水を供給することが可能な冷却水流量調整装置が必要とされていた。
【００１３】
また、復水器冷却装置５０において、復水器５９に流通する冷却水の流量は、復水器出口弁６０のみによって調整される。この従来の復水器冷却装置５０の初期運転時には、冷却水供給ポンプ５５による冷却水の流量が多めに設定されている。そのため、単体の冷却水供給ポンプ５５を備えた復水器冷却装置５０の場合、初期運転時は過流量運転となっていた。そのため、ポンプキャビテーションが発生して復水器出口弁６０において大きな運転音が発生していた。
【００１４】
また、コンバインドサイクル発電設備７０のように複数の冷却水供給用ポンプ５５が運転される場合、冷却水の使用量増加に伴う取水槽５４の取水面レベルの低下が大きいため、静水頭が増加することにより冷却水供給ポンプ５５の揚程も増加する。このため、冷却水流量のさらなる低下を招く原因となっていた。
【００１５】
一方、冷却水配管５６には、継続使用により海洋性生物が付着するため、経年的に配管の圧力損失が増大する。このため冷却水供給ポンプ５５の揚程が増大して冷却水流量が低下するため、復水器冷却水が必要量確保できなくなり、発電設備の性能に影響を及ぼすという問題もあった。
【００１６】
さらに、上記特許文献１は、放水槽の水面レベルに関しては制御されているが、取水槽側の水面レベルに関しては何等考慮されていない。
【００１７】
本発明は、上述した事情を考慮してなされたものであり、復水器を冷却するための冷却水を導入する復水器冷却装置において、取水槽と放水槽との液面レベル差の変動によらずに冷却水を安定に供給することが可能な復水器冷却水流量調整装置および調整方法を提供することを目的とする。
【００１８】
【課題を解決するための手段】
本発明に係る復水器冷却水流量調整装置は、上述した課題を解決するために、請求項１に記載したように、蒸気タービンの復水器を冷却するための冷却水を貯水する取水槽と、この取水槽から冷却水を前記復水器に導く冷却水供給ポンプと、この冷却水供給ポンプの出口側に設けられた冷却水供給ポンプ出口弁と、前記復水器出口側に設けられた復水器出口弁と、この復水器を冷却した後の冷却水が排水される放水槽とからなる復水器冷却装置における復水器冷却水流量調整装置において、前記取水槽に設けられて貯水量を計測する取水槽液面レベル計と、前記放水槽に設けられて貯水量を計測する放水槽液面レベル計とを備え、前記取水槽液面レベル計と前記放水槽液面レベル計にてそれぞれ計測された計測値から取水槽と放水槽との液面レベル差を求め、予め前記冷却水供給ポンプの性能と前記復水器に必要な冷却水量とから求められた前記液面レベルの差と前記冷却水供給ポンプ出口弁開度との関係に基づいて前記冷却水出口ポンプの開度を制御する制御装置を備えたことを特徴とするものである。
【００１９】
また、本発明に係る復水器冷却水流量調整装置は、上述した課題を解決するために、請求項２に記載したように、複数の蒸気タービンのそれぞれの復水器を冷却するための冷却水を貯水する共通の取水槽と、この取水槽から冷却水を前記復水器に導く複数の冷却水供給ポンプと、これら冷却水供給ポンプの出口側に設けられた冷却水供給ポンプ出口弁と、前記復水器出口側に設けられた復水器出口弁と、これら復水器を冷却した後の冷却水が排水される共通の放水槽とからなる復水器冷却装置における復水器冷却水流量調整装置において、前記取水槽に設けられて貯水量を計測する取水槽液面レベル計と、前記放水槽に設けられて貯水量を計測する放水槽液面レベル計とを備え、前記取水槽液面レベル計と前記放水槽液面レベル計にてそれぞれ計測された計測値から取水槽と放水槽との液面レベル差を求め、予め前記冷却水供給ポンプの性能と前記復水器に必要な冷却水量とから求められた前記液面レベルの差と前記冷却水供給ポンプ出口弁開度との関係に基づいて前記冷却水出口ポンプの開度を制御する制御装置を備えたものである。
【００２０】
さらに、本発明に係る復水器冷却水流量調整装置は、上述した課題を解決するために、請求項３に記載したように、請求項１または請求項２記載の復水器冷却水流量調整装置において、前記制御装置は前記復水器内における経年的に増加する配管流量損失に基づいて前記冷却水供給ポンプ出口弁開度を調整する手段を備えたことを特徴とするものである。
【００２１】
一方、本発明に係る復水器冷却水流量調整装置は、上述した課題を解決するために、請求項４に記載したように、蒸気タービンの復水器を冷却するための冷却水を貯水する取水槽と、この取水槽から冷却水を前記復水器に導く冷却水供給ポンプと、この冷却水供給ポンプの出口側に設けられた冷却水供給ポンプ出口弁と、前記復水器出口側に設けられた復水器出口弁と、この復水器を冷却した後の冷却水が排水される放水槽とからなる復水器冷却装置における復水器冷却水流量調整方法において、この復水器冷却水流量調整方法は、取水槽液面レベル計により取水槽の液面レベルを計測する工程と、放水槽液面レベル計により放水槽の液面レベルを計測する工程と、取水槽と放水槽との液面レベル差を求める工程と、予め前記冷却水供給ポンプの性能と前記復水器に必要な冷却水量とから求められた液面レベル差と前記冷却水供給ポンプ出口弁開度との関係から冷却水供給ポンプ出口弁の開度を算出する工程と、前記液面レベル差を求める工程と前記液面レベル差と前記冷却水供給ポンプ出口弁開度との関係を算出する工程とで得られた情報に基づいて前記冷却水供給ポンプ出口弁の開度を制御する制御工程とからなることを特徴とする方法である。
【００２２】
また、本発明に係る復水器冷却水流量調整装置は、上述した課題を解決するために、請求項５に記載したように、複数の蒸気タービンのそれぞれの復水器を冷却するための冷却水を貯水する取水槽と、この取水槽から冷却水を前記各復水器に導く複数の冷却水供給ポンプと、これら冷却水供給ポンプの出口側に設けられた冷却水供給ポンプ出口弁と、前記復水器出口側に設けられた復水器出口弁と、これら復水器を冷却した後の冷却水が排水される放水槽とからなる復水器冷却装置における復水器冷却水流量調整方法において、この復水器冷却水流量調整方法は、取水槽液面レベル計により取水槽の液面レベルを計測する工程と、放水槽液面レベル計により放水槽の液面レベルを計測する工程と、取水槽と放水槽との液面レベル差を求める工程と、予め前記冷却水供給ポンプの性能と前記復水器に必要な冷却水量とから求められた液面レベル差と前記冷却水供給ポンプ出口弁開度との関係から冷却水供給ポンプ出口弁の開度を算出する工程と、前記液面レベル差を求める工程と前記液面レベル差と前記冷却水供給ポンプ出口弁開度との関係を算出する工程とで得られた情報に基づいて前記冷却水供給ポンプ出口弁の開度を制御する制御工程とからなることを特徴とする方法である。
【００２３】
さらに、本発明に係る復水器冷却水流量調整装置は、上述した課題を解決するために、請求項６に記載したように、前記制御工程は前記復水器内における経年的に増加する配管流量損失に基づいて前記冷却水供給ポンプ出口弁開度を調整する工程を備えたことを特徴とする方法である。
【００２４】
【発明の実施の形態】
本発明に係る復水器冷却水流量制御装置の実施の形態について、図を参照して以下に説明する。
【００２５】
図１に本発明の復水器冷却水流量調整装置を備えた復水器冷却装置の構成を示す。復水器冷却装置１０は、海水を取り入れる取水口１と、取水路２とスクリーン３を介して取水口１に連なる取水槽４を有し、この取水槽４には冷却水供給ポンプ５が設置される。海水は、冷却水供給ポンプ５により冷却水配管６を流通して、冷却水供給ポンプ出口弁７および逆洗弁８を介してタービンＴに付設される復水器９に流通する。タービン蒸気と熱交換された冷却水は、出口側冷却水配管１７に流通し、逆洗弁８および復水器出口弁１６を通して放水槽１８より外洋に放出される。復水器出口弁１６の開度は、予め初期設定される。
【００２６】
この復水器冷却装置１０に、冷却水の流量を制御するための復水器冷却水流量調整装置が設置される。この復水器冷却水流量調整装置は、取水槽４に設置される取水槽液面レベル計２２と、放水槽１８付近に設置される放水槽液面レベル計２３と、それぞれの液面レベル計からの信号を入力し、冷却水供給ポンプ出口弁７の開度を制御する制御装置２４とで構成される。
【００２７】
一方、制御装置２４は以下のように構成される。
【００２８】
最初に、予め対象とする復水器が必要とする冷却水量が有る範囲を持って決められる。次に、図７の曲線８１で表されたポンプ性能を示すポンプＱ−Ｈ特性カーブから、ある静水頭Ｈに対してポンプが吸い出す冷却水流量が求められる。さらに、このポンプが吸い出す冷却水量と上記した復水器が必要とする冷却水量とから、図２に示す冷却水供給ポンプ出口弁７の流量特性曲線に基づいて弁開度が決められる。そして、図３に示すような関数ｆｘとして、前記ある静水頭Ｈと冷却水供給ポンプ出口弁７の開度との関係を予め制御装置２４に格納しておく。このように構成することにより、前記液面レベル差ΔＨが制御装置２４に入力されると、前記関数ｆｘに基づいて、入口側冷却水配管６に流通する冷却水の流量が常に復水器が必要とする冷却水量になるように冷却水供給ポンプ出口弁７の開度を制御する。なお、復水器出口弁１６は予め決められた略固定した開度になるように設定される。
【００２９】
図４は、制御装置２４内で行われる上記液面レベル差ΔＨから冷却水供給ポンプ出口弁７の開度を出力する各工程をブロック線図で示したものである。
【００３０】
すなわち、工程３１、工程３２において、それぞれ取水槽液面レベル計２２および放水槽液面レベル計２３で測定された液面レベル計測値が制御装置２４に入力される。次にこの計測値から両者の液面レベル差ΔＨが工程３３にて算出される。次にこの液面レベル差ΔＨのデータは、冷却水供給ポンプ５の出力すべき静水頭Ｈとして用いられ、上記した静水頭Ｈと冷却水供給ポンプ出口弁７の開度との関係であるｆｘに入力される。この関数ｆｘにより静水頭Ｈ（液面レベル差ΔＨ）に対して最適な冷却水供給ポンプ出口弁７の開度が工程３４において算出されて出力される。出力された冷却水供給ポンプ出口弁７の開度に基づいて、工程３５により冷却水供給ポンプ出口弁７の開度が制御される。なお、図示していないが、制御装置２４からは、復水器出口弁１６を予め固定された開度に設定する信号も出力される。
【００３１】
また、関数ｆｘには、復水器内の配管類に経年的に付着、堆積する腐食物や海洋性生物により冷却水流通の際の配管内で発生する圧力損失を補償するための工程３６から調整値が入力され、液面レベル差ΔＨから関数ｆｘにより計算された冷却水供給ポンプ出口弁７の開度を調整できるようになっている。
【００３２】
なお、本実施の形態においては、取水槽液面レベル計２２および放水槽液面レベル計２３でそれぞれ測定された液面レベルデータから求められる両者の液面レベル差ΔＨのデータに基づいて冷却水供給ポンプ出口弁７の開度を制御しているが、上記関数ｆｘを以下のようにして、液面レベル差ΔＨのデータに基づいて冷却水供給ポンプ出口弁７と復水器出口弁１６の両者の開度を制御するようにしても良い。すなわち、図７の曲線８１で表されたポンプ性能を示すポンプＱ−Ｈ特性カーブから、ある静水頭Ｈに対してポンプが吸い出す冷却水流量を求め、このポンプが吸い出す冷却水量と予め決められた復水器が必要とする冷却水量とから、図２に示すような流量特性曲線に基づいて冷却水供給ポンプ出口弁７と復水器出口弁１６のそれぞれの弁開度が決定される。その際にそれぞれの弁の開度の組み合わせが多くなるので、最適な各弁の開度の組み合わせを予め検討しておく必要がある。そして、この冷却水供給ポンプ出口弁７と復水器出口弁１６の弁の開度の組み合わせに基づいて関数ｆｘを作成し、前記ある静水頭Ｈと冷却水供給ポンプ出口弁７の開度および復水器出口弁１６の開度の関係を予め制御装置２４に格納しておくものである。
【００３３】
このような構成とした復水器冷却水流量制御装置は、図６に示すような複数の取水系統を有するコンバインドサイクル発電設備７０にも設置することが可能である。
【００３４】
以上説明したように、本発明に係る復水器冷却水流量調整装置によれば、貯水槽液面レベルと放水槽液面レベルのレベル差を計測して、この液面レベル差の変動に追従して冷却水供給ポンプ出口弁７の開度を制御し、復水器冷却水の流量を調整する。すなわち、液面レベルの変動によらず、常に安定した流量の冷却水を復水器９に供給することが可能であるため、発電設備の性能を安定化することが可能である。
【００３５】
また、復水器冷却水流量調整装置は、発電設備の初期運転時においても、冷却水を安定した流量で流通するため、冷却水供給ポンプ５が過流量運転となることがない。従って、ポンプキャビテーションが防止され、プラント稼動中の騒音が効果的に抑制される。特に、冷却水流量が冷却水供給ポンプ出口弁７および復水器出口弁１６の２箇所で調整されるため、従来に比較して復水器出口弁１６における騒音が軽減される。
【００３６】
さらに、復水器冷却水流量調整装置によれば、冷却水配管６に付着する海洋性生物や配管腐食による配管圧力損失の経年的変化についても、制御装置２４において経年的な配管圧力損失を加算して調整することにより、液面レベル差の変動に組入れて制御することが可能である。従って、発電設備の長期運転に際して冷却水の流量を安定的に維持することが可能である。
【００３７】
【発明の効果】
以上説明のとおり、本発明に係る復水器冷却水流量調整装置および調整方法によれば、取水槽と放水槽との液面レベル差の変動に追従してポンプ出口弁の開度を調整するため、冷却水を常に安定した流量で供給することが可能である。
【図面の簡単な説明】
【図１】本発明に係る冷却水流量調整装置を備えた復水器冷却装置の構成図。
【図２】ポンプ出口弁の流量特性曲線。
【図３】ポンプ出口弁の開度を決定する関数ｆｘ曲線。
【図４】本発明の復水器冷却水流量調整装置における制御ブロック図。
【図５】従来の復水器冷却装置を示す構成図。
【図６】復水器冷却装置ユニットを備えたコンバインド発電設備の取水槽付近の構成を示す構造図。
【図７】ポンプＱ−Ｈカーブと流量−圧力曲線との相関を示すグラフ。
【符号の説明】
１  取水口
２  取水路
３  スクリーン
４  取水槽
５  冷却水供給ポンプ
６  入口側冷却水配管
７  冷却水供給ポンプ出口弁
８  逆洗弁
９  復水器
１０  復水器冷却装置
１６  復水器出口弁
１７  出口側冷却水排水配管
１８  放水槽
２２  取水槽液面レベル計
２３  放水槽液面レベル計
２４  制御装置
３１  取水槽の液面レベルを計測する工程
３２  放水槽の液面レベルを計測する工程
３３  液面レベル差を求める工程
３４  冷却水供給ポンプ出口弁の開度を算出する工程
３５  冷却水供給ポンプ出口弁の開度を制御する工程
３６  配管内の経年的な圧力損失の増加について調整する工程
５０  復水器冷却装置（従来）
５１  取水口
５２  取水路
５３  スクリーン
５４  取水槽
５５  冷却水供給ポンプ
５６  冷却水配管
５７  冷却水供給ポンプ出口弁
５８  逆洗弁
５９  復水器
６０  復水器出口弁
６１  放水槽
６２  圧力計
７０  コンバインドサイクル発電設備
８１  ポンプＱ−Ｈカーブ
８２  ポンプ流量−圧力特性曲線（ΔＨ１）
８３  ポンプ流量−圧力特性曲線（ΔＨ２）
【図１】
2004218953.tif 000003
【図２】
2004218953.tif 000004
【図３】
2004218953.tif 000005
【図４】
2004218953.tif 000006
【図５】
2004218953.tif 000007
【図６】
2004218953.tif 000008
【図７】
2004218953.tif 000009